(57)【要約】【課題】本発明は、コンピューター本体とモニターとの間に設置されてコンピューターからモニターに出力される映像信号をコンピューター外部でキャプチャーして保存、再生及び制御することができ、コンピューターユーザーが任意に分離することができないコンピューター画面監視システム、監視装置及び監視方法を提供することを課題とする。【解決手段】本発明は、コンピューター端末とモニターとの間に設置されて前記コンピューター端末から前記モニターに伝送される映像信号をキャプチャーする画面監視装置によって画面を監視するシステムにおいて、前記コンピューター端末から汎用直列バス通信によって制御信号を受信し、前記受信された電気的の制御信号によって前記コンピューター端末と結合される第一結合部及び前記モニターと連結される第二結合部の物理的の締結を制御する画面監視装置を含むことを特徴とする。【選択図】  図１
2008009953.tif 000002
【特許請求の範囲】
【請求項１】
コンピューター端末とモニターとの間に設置されて前記コンピューター端末から前記モニターに伝送される映像信号をキャプチャーする画面監視装置によって画面を監視するシステムにおいて、前記コンピューター端末から汎用直列バス通信によって制御信号を受信して、前記受信された電気的な制御信号によって前記コンピューター端末と結合される第一結合部及び前記モニターと連結される第二結合部の物理的な締結を制御する画面監視装置と、前記画面監視装置を制御する制御信号を生成して、前記汎用直列バス通信によって前記生成された制御信号を前記画面監視装置に伝送し、前記第一結合部を通じて前記画面監視装置に映像信号を伝送するコンピューター端末と、前記第二結合部を通じて前記画面監視装置から映像信号を受信するモニターとを含むことを特徴とするコンピューター画面監視システム。
【請求項２】
前記画面監視装置は、前記第一結合部を通じて前記画面監視装置が前記コンピューター端末と連結される時、前記画面監視装置に既保存された前記画面監視装置に対する制御ソフトウェアが前記汎用直列バス通信を通じて前記コンピューター端末に自動に設置されることを特徴とする請求項１記載のコンピューター画面監視システム。
【請求項３】
前記コンピューター端末は、遠隔コンピューターから前記画面監視装置を遠隔で制御できる制御信号を受信する遠隔接続サーバーを含むことを特徴とする請求項１記載のコンピューター画面監視システム。
【請求項４】
前記コンピューター端末は、移動端末から前記画面監視装置を遠隔で制御できる制御信号を受信する移動接続エージェントを含むことを特徴とする請求項１記載のコンピューター画面監視システム。
【請求項５】
前記第一結合部及び第二結合部の中で少なくとも一つの結合部は、外観を形成するコネクタベース(connector  base)と、前記コネクタベースの両側内部にそれぞれ位置し、一つの末端部が前記コンピューター端末又はモニターと締結されて、もう一つの末端部に回転のための溝が形成されている一対のスクリューシャフト(screw  shaft)と、前記コンピューター端末又はモニターと連結される方向に前記コネクタベースの末端部に位置し、前記コンピューター端末又はモニターと連結される部分に接続端子が形成されているコネクタポート(connector  port)と、前記コンピューター端末又はモニターと連結される方向の反対方向に前記コネクタベースの末端部に位置し、前記コンピューター端末又はモニターと入出力されるアナログ映像信号及び所定の制御部から入力される制御信号を伝送するコネクタケーブル(connector  cable)と、前記コネクタベースの内部に位置し、所定の制御部から入力される制御信号によって回転するモーター(motor)と、前記モーターから前記コネクタケーブル方向に位置し、両側に一対のホールが形成されていて、前記モーターの回転と連動されて、前記一対のスクリューシャフトの溝を前記両側に形成された一対のホールと整列させて露出させたり、前記一対のスクリューシャフトの溝の露出を遮断するラック(rack)と、前記コネクタベースと結合されて外観を形成するコネクタカバー(connector  cover)とを含むことを特徴とする請求項１記載のコンピューター画面監視システム。
【請求項６】
前記結合部は、前記モーター及びラックの間に位置し、前記モーターの回転と連動されて前記ラックを駆動させるギヤ(gear)をさらに含むことを特徴とする請求項５記載のコンピューター画面監視システム。
【請求項７】
前記第一結合部及び第二結合部の中で少なくとも一つの結合部は、外観を形成するコネクタベース(connector  base)と、前記コネクタベースの両側内部にそれぞれ位置し、一つの末端部が前記コンピューター端末又はモニターと締結され、もう一つの末端部に回転手段が形成されている一対のスクリューシャフト(screw  shaft)と、前記コンピューター端末又はモニターと連結される方向に前記コネクタベースの末端部に位置し、前記コンピューター端末又はモニターと連結される部分に接続端子が形成されているコネクタポート(connector  port)と、前記コンピューター端末又はモニターと連結される方向の反対方向に前記コネクタベースの末端部に位置し、前記コンピューター端末又はモニターと入出力されるアナログ映像信号及び前記制御部から入力される制御信号を伝送するコネクタケーブル(connector  cable)と、前記コネクタベースの内部に位置して、前記制御部から入力される制御信号によって回転するモーター(motor)と、前記モーターから前記コネクタケーブル方向に位置し、両側に前記スクリューシャフトがそれぞれ挿入される一対のホールが形成されていて、前記モーターの回転と連動されて、前記ホールに挿入された前記スクリューシャフトを回転できるようにしたり、回転できないようにしたりするラック(rack)と、及び前記コネクタベースと結合されて外観を形成するコネクタカバー(connector  cover)とを含むことを特徴とする請求項１記載のコンピューター画面監視システム。
【請求項８】
前記スクリューシャフトは、前記回転手段の内側の回転軸に溝が形成されていて、前記ラックのホールは、それぞれ異なる直径を有する二つの部分が一体に形成されていて、解体の時、前記スクリューシャフトの溝が前記ラックのホールでより直径の大きい部分に位置して前記スクリューシャフトの回転ができるようになり、締結の時、前記スクリューシャフトの溝が前記ラックのホールでより直径の小さい部分に位置して前記スクリューシャフトの回転ができなくなることを特徴とする請求項７記載のコンピューター画面監視システム。
【請求項９】
前記結合部は、前記モーターとラックとの間に位置し、前記モーターの回転と連動されて前記ラックを駆動させるギヤ(gear)をさらに含むことを特徴とする請求項７記載のコンピューター画面監視システム。
【請求項１０】
前記第一結合部及び第二結合部の中で少なくとも一つの結合部は、前記コンピューター端末又はモニターと結合及び分離を制御するソレノイド(solenoid)を含め、前記コンピューター端末又はモニターと結合されて物理的にロッキングされることを特徴とする請求項１記載のコンピューター画面監視システム。
【請求項１１】
コンピューター本体のビデオカードと結合されて物理的にロッキング(locking)され、前記ビデオカードから出力されるアナログ映像信号を伝送する第一結合部と、前記第一結合部から入力されるアナログ映像信号をデジタル映像信号に変換するA/D(Analog/Digital)変換部と、前記A/D変換部で変換されたデジタル映像信号を設定された時間間隔によって圧縮して保存し、前記保存された映像信号を圧縮解除してデジタル映像信号で出力する信号処理及び保存部と、前記信号処理及び保存部から出力されるデジタル映像信号をアナログ映像信号に変換するD/A(Digital/Analog)変換部と、前記ビデオカードから入力されるアナログ映像信号と前記D/A変換部から入力されるアナログ映像信号を選択的にモニターに連結するスイッチング部と、前記モニターと結合されて物理的にロッキングされ、前記スイッチング部から入力されるアナログ映像信号を前記モニターに伝送する第二結合部と、前記信号処理及び保存部を制御し、前記第一結合部と前記ビデオカードとの間の物理的なロッキングを制御し、前記第二結合部と前記モニターとの間の物理的なロッキングを制御する制御部とを含むことを特徴とするコンピューター画面監視装置。
【請求項１２】
前記第一結合部及び前記第二結合部の中で少なくとも一つと前記コンピューター画面監視装置の内部に位置した接続部とを連結させる拡張型連結ケーブルをさらに含むことを特徴とする請求項１１記載のコンピューター画面監視装置。
【請求項１３】
前記装置は、外部からアクセスデータ(access  data)又は制御信号が入力された入力部をさらに含むことを特徴とする請求項１１記載のコンピューター画面監視装置。
【請求項１４】
前記第一結合部及び第二結合部の中で少なくとも一つの結合部は、外観を形成するコネクタベース(connector  base)と、前記コネクタベースの両側内部にそれぞれ位置し、一つの末端部が前記ビデオカード又はモニターと締結されて、もう一つの末端部に回転のための溝が形成されている一対のスクリューシャフト(screw  shaft)と、前記ビデオカード又はモニターと連結される方向に前記コネクタベースの末端部に位置して、前記ビデオカード又はモニターと連結される部分に接続端子が形成されているコネクタポート(connector  port)と、前記ビデオカード又はモニターと連結される方向の反対方向に前記コネクタベースの末端部に位置して、前記ビデオカード又はモニターと入出力されるアナログ映像信号及び前記制御部から入力される制御信号を伝送するコネクタケーブル(connector  cable)と、前記コネクタベースの内部に位置して、前記制御部から入力される制御信号によって回転するモーター(motor)と、前記モーターから前記コネクタケーブル方向に位置して、両側に一対のホールが形成されていて、前記モーターの回転と連動されて、前記一対のスクリューシャフトの溝を前記両側に形成された一対のホールと整列させて露出させたり、前記一対のスクリューシャフトの溝の露出を遮断するラック(rack)と、前記コネクタベースと結合されて外観を形成するコネクタカバー(connector  cover)とを含むことを特徴とする請求項１１乃至請求項１３の何れか一項に記載のコンピューター画面監視装置。
【請求項１５】
前記結合部は、前記モーター及びラックの間に位置し、前記モーターの回転と連動されて前記ラックを駆動させるギヤ(gear)をさらに含むことを特徴とする請求項１４記載のコンピューター画面監視装置。
【請求項１６】
前記第一結合部及び第二結合部の中で少なくとも一つの結合部は、外観を形成するコネクタベース(connector  base)と、前記コネクタベースの両側内部にそれぞれ位置して、一つの末端部が前記ビデオカード又はモニターと締結されて、もう一つの末端部に回転手段が形成されている一対のスクリューシャフト(screw  shaft)と、前記ビデオカード又はモニターと連結される方向に前記コネクタベースの末端部に位置して、前記ビデオカード又はモニターと連結される部分に接続端子が形成されているコネクタポート(connector  port)と、前記ビデオカード又はモニターと連結される方向の反対方向に前記コネクタベースの末端部に位置して、前記ビデオカード又はモニターと入出力されるアナログ映像信号及び前記制御部から入力される制御信号を伝送するコネクタケーブル(connector  cable)と、前記コネクタベースの内部に位置して、前記制御部から入力される制御信号によって回転するモーター(motor)と、前記モーターから前記コネクタケーブル方向に位置して、両側に前記スクリューシャフトがそれぞれ挿入される一対のホールが形成されていて、前記モーターの回転と連動されて、前記ホールに挿入された前記スクリューシャフトを回転できるようにしたり、回転できないようにするラック(rack)と、前記コネクタベースと結合されて外観を形成するコネクタカバー(connector  cover)とを含むことを特徴とする請求項１１乃至請求項１３の何れか一項に記載のコンピューター画面監視装置。
【請求項１７】
前記スクリューシャフトは、前記回転手段の内側の回転軸に溝が形成されていて、前記ラックのホールは、それぞれ異なる直径を有する二つの部分が一体に形成されていて、解体の時、前記スクリューシャフトの溝が前記ラックのホールで、より直径の大きい部分に位置して前記スクリューシャフトの回転ができるようになり、締結の時、前記スクリューシャフトの溝が前記ラックのホールで、より直径の小さい部分に位置して前記スクリューシャフトの回転ができないようになること特徴とする請求項１６記載のコンピューター画面監視装置。
【請求項１８】
前記結合部は、前記モーターとラックとの間に位置し、前記モーターの回転と連動されて前記ラックを駆動させるギヤ(gear)をさらに含むことを特徴とする請求項１６記載のコンピューター画面監視装置。
【請求項１９】
前記第一結合部及び第二結合部の中で少なくとも一つの結合部は、前記ビデオカード又はモニターと結合及び分離を制御するソレノイド(solenoid)を含め、前記ビデオカード又はモニターと結合されて物理的にロッキングされることを特徴とする請求項１１乃至請求項１３の何れか一項に記載のコンピューター画面監視装置。
【請求項２０】
コンピューター本体のビデオカードとモニターとの間に位置し、前記ビデオカードから入力される映像信号を前記モニターに出力して監視するコンピューター画面監視装置において、外観を形成するコネクタベース(connector  base)と、前記コネクタベースの両側内部にそれぞれ位置し、一つの末端部が前記ビデオカード又はモニターと締結されて、もう一つの末端部に回転のための溝が形成されている一対のスクリューシャフト(screw  shaft)と、前記ビデオカード又はモニターと連結される方向に前記コネクタベースの末端部に位置して、前記ビデオカード又はモニターと連結される部分に接続端子が形成されているコネクタポート(connector  port)と、前記ビデオカード又はモニターと連結される方向の反対方向に前記コネクタベースの末端部に位置して、前記ビデオカード又はモニターと入出力される映像信号及び外部から入力される制御信号を伝送するコネクタケーブル(connector  cable)と、前記コネクタベースの内部に位置して、前記外部から入力される制御信号によって回転するモーター(motor)と、前記モーターから前記コネクタケーブル方向に位置して、両側に一対のホールが形成していて、前記モーターの回転と連動されて、前記一対のスクリューシャフトの溝を前記両側に形成された一対のホールと整列させて露出させたり、前記一対のスクリューシャフトの溝の露出を遮断するラック(rack)と、前記コネクタベースと結合されて外観を形成するコネクタカバー(connector  cover)とを含む結合部を含むことを特徴とするコンピューター画面監視装置。
【請求項２１】
前記結合部は、前記モーター及びラックの間に位置し、前記モーターの回転と連動されて前記ラックを駆動させるギヤ(gear)をさらに含むことを特徴とする請求項２０記載のコンピューター画面監視装置。
【請求項２２】
前記コンピューター画面監視装置は、内部に位置した接続部と前記結合部を連結させる拡張型連結ケーブルをさらに含むことを特徴とする請求項２０又は請求項２１記載のコンピューター画面監視装置。
【請求項２３】
コンピューター本体のビデオカードとモニターとの間に位置して、前記ビデオカードから入力される映像信号を前記モニターに出力して監視するコンピューター画面監視装置において、外観を形成するコネクタベース(connector  base)と、前記コネクタベースの両側内部にそれぞれ位置して、一つの末端部が前記ビデオカード又はモニターと締結されて、もう一つの末端部に回転手段が形成されている一対のスクリューシャフト(screw  shaft)と、前記ビデオカード又はモニターと連結される方向に前記コネクタベースの末端部に位置し、前記ビデオカード又はモニターと連結される部分に接続端子が形成されているコネクタポート(connector  port)と、前記ビデオカード又はモニターと連結される方向の反対方向に前記コネクタベースの末端部に位置して、前記ビデオカード又はモニターと入出力される映像信号及び所定の制御部から入力される制御信号を伝送するコネクタケーブル(connector  cable)と、前記コネクタベースの内部に位置して、所定の制御部から入力される制御信号によって回転するモーター(motor)と、前記モーターから前記コネクタケーブル方向に位置して、両側に前記スクリューシャフトがそれぞれ挿入される一対のホールが形成されていて、前記モーターの回転と連動されて、前記ホールに挿入された前記スクリューシャフトを回転できるようにしたり、回転できないようにするラック(rack)と、前記コネクタベースと結合されて外観を形成するコネクタカバー(connector  cover)を含む結合部とを含むことを特徴とするコンピューター画面監視装置。
【請求項２４】
前記スクリューシャフトは、前記回転手段の内側の回転軸に溝が形成されていて、前記ラックのホールは、それぞれ異なる直径を有する二つの部分が一体に形成されていて、解体の時、前記スクリューシャフトの溝が前記ラックのホールで、より直径の大きい部分が位置して前記スクリューシャフトの回転ができるようになり、締結の時、前記スクリューシャフトの溝が前記ラックのホールで、より直径の小さい部分に位置して前記スクリューシャフトの回転ができないようになることを特徴とする請求項２３記載のコンピューター画面監視装置。
【請求項２５】
前記結合部は、前記モーターとラックとの間に位置し、前記モーターの回転と連動されて前記ラックを駆動させるギヤ(gear)をさらに含むことを特徴とする請求項２３記載のコンピューター画面監視装置。
【請求項２６】
前記コンピューター画面監視装置は、内部に位置した接続部と前記結合部を連結させる拡張型連結ケーブルをさらに含むことを特徴とする請求項２３乃至請求項２５の何れか一項に記載のコンピューター画面監視装置。
【請求項２７】
(A)ビデオカード及びモニターにそれぞれ結合される第一結合部及び第二結合部の中の一つの結合部で、制御部から入力される制御信号によって回転されるモーターと連動されるラック(rack)が一対のスクリューシャフト(screw  shaft)の回転を妨害することで、前記ビデオカード又はモニターと前記結合部との間に物理的にロッキング(locking)を形成する段階と、(B)前記第一結合部を通じて前記ビデオカードから入力されるアナログ映像信号をデジタル映像信号に変換する段階と、(C)前記変換されたデジタル映像信号を設定された時間間隔によって圧縮して保存する段階と、(D)前記保存された映像信号を再生する場合、前記保存された映像信号を圧縮解除してアナログ映像信号に変換する段階と、(E)前記第二結合部を通じて前記変換されたアナログ映像信号を前記モニターに伝送する段階とを含むことを特徴とするコンピューター画面監視方法。
【請求項２８】
前記(A)段階は、(A-1)前記ビデオカード及び前記モニターを含む外部装置に結合される第一結合部及び第二結合部の中のもう一つの結合部で、外部装置との結合又は分離を制御するソレノイド(solenoid)を用いることで、前記外部装置と前記もう一つの結合部との間に物理的にロッキングを形成する段階をさらに含むことを特徴とする請求項２７記載のコンピューター画面監視方法。
【請求項２９】
前記(B)段階は、(B-1)前記第一結合部を通じて前記ビデオカードから入力されるアナログ映像信号を前記モニターにも伝送させる段階をさらに含むことを特徴とする請求項２７又は請求項２８記載のコンピューター画面監視方法。
【請求項３０】
前記(D)段階は、(D-1)前記第一結合部を通じて前記ビデオカードから入力されるアナログ映像信号が前記モニターに伝送されることを遮断する段階をさらに含むことを特徴とする請求項２７又は請求項２８記載のコンピューター画面監視方法。
【発明の詳細な説明】
【技術分野】
【０００１】
本発明は、コンピューター画面監視システム、監視装置及び監視方法に関するものであり、より詳しくは、コンピューター本体とモニターとの間に設置されてコンピューターからモニターに出力される映像信号をコンピューター外部でキャプチャー(capture)して保存及び再生することができて、コンピューター本体とモニターとの結合を任意に分離できないようにするコンピューター画面監視システム、監視装置及び監視方法に関する。
【背景技術】
【０００２】
インターネット(internet)は、既に人間の生活とすごく密接な関係を維持するようになって、情報通信技術の発達によってより早くて正確な情報を提供するための努力が持続的になされている。情報の宝庫であるインターネットは、ウェブサイト(website)と呼ばれる数え切れないほどの仮象空間が存在し、これら仮象空間には数多くの種類の資料が散らばっていて、こういうインターネットを通じた情報普及は各種通信網の発達とともにますます発展してきた。
【０００３】
しかし、このように急速度に発展するインターネットを通じて数多くの情報に簡単に接することができる反面、インターネットは、大量の各種有害情報も含んでいて、これに対してインターネットユーザー達が無防備に露出されて良くない影響が及ぶ問題があった。特に、家庭や学校、塾などで感受性の鋭敏な青少年達がこのような有害情報をインターネット、CD(Compact  Disk)、DVD(Digital  Versatile  Disk)などの媒体を通じて、何のフィルターリングもなく接することができる問題があった。
【０００４】
なお、誰でもインターネットを簡単に利用できるようになるにつれ、色々な副作用も続出している。代表的な例として、職場で日課時間中に株式取り引きなどの業務外的なことに時間を無駄にしてしまい、仕事の能率を落とし、ゲームなどにはまってしまい、日常生活に障ることをはじめ、多様な形態の問題もあった。
【０００５】
こういう問題を解決するために、従来は、単純にコンピューターの使用制限のみの方案であってマグネチックカード又はICカードを用いてコンピューターの使用を制御した。しかし、こういう方案は、コンピューターユーザーが使用した情報が何であるかは判断できないという問題があった。
【０００６】
他の方案として、コンピューターに有害情報遮断プログラムを設置し、管理する方案があった。しかし、コンピューターの使用に慣れていない人々には設置及び管理が容易ではない問題があって、コンピューター内に保存された有害情報遮断プログラムがソフトウェアの特性上、簡単に除去される問題もあった。
【０００７】
また他の方案として、韓国実用新案登録第２０−１７６９８９号（特許文献１参照）及び韓国実用新案公開第１９９９−２１５９４号（特許文献２参照）に、コンピューターのモニターに出力される画面を監視できる監視システム又は監視装置が開示されている。しかし、第20-176989号は、コンピューターと監視システムとの間に単純なコンピューター接続用コネクタのみが開示されていて、第1999-21594号は、コンピューターと監視装置との間の結合部に対して全然開示されていないため、コンピューターのモニターに出力される画面を監視できるが、コンピューターと監視システムとの間又は監視装置との間は、コンピューターユーザーが任意に分離することができて監視効率が落ちる問題があった。
【特許文献１】韓国実用新案登録第２０−１７６９８９号公報
【特許文献２】韓国実用新案公開第１９９９−２１５９４号公報
【発明の開示】
【発明が解決しようとする課題】
【０００８】
本発明の目的は、コンピューター本体とモニターとの間に設置されてコンピューターからモニターに出力される映像信号をコンピューター外部でキャプチャーして保存、再生及び制御することができるコンピューター画面監視システム、監視装置及び監視方法を提供することである。
【０００９】
本発明の他の目的は、コンピューター本体とモニターとの間に結合されて、電気的制御信号によって物理的に締結される結合部を具備することで、コンピューターユーザーが任意に分離することができないコンピューター画面監視システム、監視装置及び監視方法を提供することである。
【課題を解決するための手段】
【００１０】
前記の目的を達成するためのシステムは、コンピューター端末とモニターとの間に設置されて前記コンピューター端末から前記モニターに伝送される映像信号をキャプチャーする画面監視装置によって画面を監視するシステムにおいて、前記コンピューター端末から汎用直列バス通信によって制御信号を受信し、前記受信された電気的な制御信号によって前記コンピューター端末と結合される第一結合部及び前記モニターと連結される第二結合部の物理的な締結を制御する画面監視装置と、前記画面監視装置を制御する制御信号を生成し、前記汎用直列バス通信によって前記生成された制御信号を前記画面監視装置に伝送し、前記第一結合部を通じて前記画面監視装置に映像信号を伝送するコンピューター端末と、前記第二結合部を通じて前記画面監視装置から映像信号を受信するモニターとを含むことを特徴とする。
【００１１】
前記画面監視装置は、前記第一結合部を通じて前記画面監視装置が前記コンピューター端末と連結される時、前記画面監視装置に既保存された前記画面監視装置に対する制御ソフトウェアが前記汎用直列バス通信を通じて前記コンピューター端末に自動に設置されることを特徴とする。
【００１２】
前記コンピューター端末は、遠隔コンピューターから前記画面監視装置を遠隔で制御できる制御信号を受信する遠隔接続サーバーを含むことを特徴とする。
【００１３】
前記コンピューター端末は、移動端末から前記画面監視装置を遠隔で制御できる制御信号を受信する移動接続エージェントを含むことを特徴とする。
【００１４】
前記第一結合部及び第二結合部の中で少なくとも一つの結合部は、外観を形成するコネクタベース(connector  base)と、前記コネクタベースの両側内部にそれぞれ位置して、一つの末端部が前記ビデオカード又はモニターと締結されて、もう一つの末端部に回転のために溝が形成されている一対のスクリューシャフト(screw  shaft)と、前記ビデオカード又はモニターと連結される方向に前記コネクタベースの末端部に位置して、前記ビデオカード又はモニターと連結される部分に接続端子が形成されているコネクタポート(connector  port)と、前記ビデオカード又はモニターと連結される方向の反対方向に前記コネクタベースの末端部に位置して、前記ビデオカード又はモニターと入出力されるアナログ映像信号及び前記制御部から入力される制御信号を伝送するコネクタケーブル(connector  cable)と、前記コネクタベースの内部に位置して、前記制御部から入力される制御信号によって回転するモーター(motor)と、前記モーターから前記コネクタケーブル方向に位置し、両側に一対のホールが形成されていて、前記モーターの回転と連動されて、前記一対のスクリューシャフトの溝を前記両側に形成された一対のホールと整列させて露出させたり、前記一対のスクリューシャフトの溝の露出を遮断するラック(rack)と、前記コネクタベースと結合されて外観を形成するコネクタカバー(connector  cover)とを含むことを特徴とする。
【００１５】
前記結合部は、前記モーター及びラックの間に位置して、前記モーターの回転と連動されて前記ラックを駆動させるギヤ(gear)をさらに含むことを特徴とする。
【００１６】
前記第一結合部及び第二結合部の中で少なくとも一つの結合部は、外観を形成するコネクタベース(connector  base)と、前記コネクタベースの両側内部にそれぞれ位置し、一つの末端部が前記ビデオカード又はモニターと締結されて、もう一つの末端部に回転手段が形成されている一対のスクリューシャフト(screw  shaft)と、前記ビデオカード又はモニターと連結される方向に前記コネクタベースの末端部に位置して、前記ビデオカード又はモニターと連結される部分に接続端子が形成されているコネクタポート(connector  port)と、前記ビデオカード又はモニターと連結される方向の反対方向に前記コネクタベースの末端部に位置して、前記ビデオカード又はモニターと入出力されるアナログ映像信号及び前記制御部から入力される制御信号を伝送するコネクタケーブル(connector  cable)と、前記コネクタベースの内部に位置して、前記制御部から入力される制御信号によって回転するモーター(motor)と、前記モーターから前記コネクタケーブル方向に位置して、両側に前記スクリューシャフトがそれぞれ挿入される一対のホールが形成されていて、前記モーターの回転と連動されて、前記ホールに挿入された前記スクリューシャフトを回転できるようにしたり、回転できないようにするラック(rack)と、前記コネクタベースと結合されて外観を形成するコネクタカバー(connector  cover)とを含むことを特徴とする。
【００１７】
前記スクリューシャフトは、前記回転手段の内側の回転軸に溝が形成されていて、前記ラックのホールは、それぞれ異なる直径を有する二つの部分が一体に形成されていて、解体の時、前記スクリューシャフトの溝が前記ラックのホールでより直径の大きい部分に位置して前記スクリューシャフトの回転ができるようになり、締結の時、前記スクリューシャフトの溝が前記ラックのホールでより直径の小さい部分に位置して前記スクリューシャフトの回転ができないようになることを特徴とする。
【００１８】
前記結合部は、前記モーターとラックとの間に位置して、前記モーターの回転と連動されて前記ラックを駆動させるギヤ(gear)をさらに含むことを特徴とする。
【００１９】
前記第一結合部及び第二結合部の中で少なくとも一つの結合部は、前記ビデオカード又はモニターと結合及び分離を制御するソレノイド(solenoid)を含めて、前記ビデオカード又はモニターと結合されて物理的にロッキングされることを特徴とする。
【００２０】
前記の目的を達成するための装置は、コンピューター本体のビデオカードと結合されて物理的にロッキング(locking)されて、前記ビデオカードから出力されるアナログ映像信号を伝送する第一結合部と、前記第一結合部から入力されるアナログ映像信号をデジタル映像信号に変換するA/D(Analog/Digital)変換部と、前記A/D変換部で変換されたデジタル映像信号を設定された時間間隔によって圧縮して保存し、前記保存された映像信号を圧縮解除してデジタル映像信号に出力する信号処理及び保存部と、前記信号処理及び保存部から出力されるデジタル映像信号をアナログ映像信号に変換するD/A(Digital/Analog)変換部と、前記ビデオカードから入力されるアナログ映像信号と前記D/A変換部から入力されるアナログ映像信号を選択的にモニターに連結するスイッチング部と、前記モニターと結合されて物理的にロッキングされて、前記スイッチング部から入力されるアナログ映像信号を前記モニターに伝送する第二結合部と、前記信号処理及び保存部を制御して、前記第一結合部と前記ビデオカードとの間の物理的なロッキングを制御して、前記第二結合部と前記モニターとの間の物理的なロッキングを制御する制御部とを含むことを特徴とする。
【００２１】
前記第一結合部及び前記第二結合部の中で少なくとも一つと前記コンピューター画面監視装置の内部に位置した接続部とを連結させる拡張型連結ケーブルをさらに含むことを特徴とする。
【００２２】
前記装置は、外部からアクセスデータ(access  data)又は制御信号を入力された入力部をさらに含むことを特徴とする。
【００２３】
前記第一結合部及び第二結合部の中で少なくとも一つの結合部は、外観を形成するコネクタベース(connector  base)と、前記コネクタベースの両側内部にそれぞれ位置して、一つの末端部が前記ビデオカード又はモニターと締結されて、もう一つの末端部に回転のための溝が形成されている一対のスクリューシャフト(screw  shaft)と、前記ビデオカード又はモニターと連結される方向に前記コネクタベースの末端部に位置して、前記ビデオカード又はモニターと連結される部分に接続端子が形成されているコネクタポート(connector  port)と、前記ビデオカード又はモニターと連結される方向の反対方向に前記コネクタベースの末端部に位置して、前記ビデオカード又はモニターと入出力されるアナログ映像信号及び前記制御部から入力される制御信号を伝送するコネクタケーブル(connector  cable)と、前記コネクタベースの内部に位置して、前記制御部から入力される制御信号によって回転するモーター(motor)と、前記モーターから前記コネクタケーブル方向に位置して、両側に一対のホールが形成されていて、前記モーターの回転と連動されて、前記一対のスクリューシャフトの溝を前記両側に形成された一対のホールと整列させて露出させたり、前記一対のスクリューシャフトの溝の露出を遮断するラック(rack)と、前記コネクタベースと結合されて外観を形成するコネクタカバー(connector  cover)とを含むことを特徴とする。
【００２４】
前記結合部は、前記モーターの一側に位置して、前記モーター及びラックの間に位置し、前記モーターの回転と連動されて前記ラックを駆動させるギヤ(gear)をさらに含むことを特徴とする。
【００２５】
前記第一結合部及び第二結合部の中で少なくとも一つの結合部は、外観を形成するコネクタベース(connector  base)と、前記コネクタベースの両側内部にそれぞれ位置して、一つの末端部が前記ビデオカード又はモニターと締結されて、もう一つの末端部に回転手段が形成されている一対のスクリューシャフト(screw  shaft)と、前記ビデオカード又はモニターと連結される方向に前記コネクタベースの末端部に位置して、前記ビデオカード又はモニターと連結される部分に接続端子が形成されているコネクタポート(connector  port)と、前記ビデオカード又はモニターと連結される方向の反対方向に前記コネクタベースの末端部に位置して、前記ビデオカード又はモニターと入出力されるアナログ映像信号及び前記制御部から入力される制御信号を伝送するコネクタケーブル(connector  cable)と、前記コネクタベースの内部に位置して、前記制御部から入力される制御信号によって回転するモーター(motor)と、前記モーターから前記コネクタケーブル方向に位置して、両側に前記スクリューシャフトがそれぞれ挿入される一対のホールが形成されていて、前記モーターの回転と連動されて、前記ホールに挿入された前記スクリューシャフトを回転できるようにしたり、回転できないようにするラック(rack)と、前記コネクタベースと結合されて外観を形成するコネクタカバー(connector  cover)とを含むことを特徴とする。
【００２６】
前記スクリューシャフトは、前記回転手段の内側の回転軸に溝が形成されていて、前記ラックのホールは、それぞれ異なる直径を有する二つの部分が一体に形成されていて、解体の時、前記スクリューシャフトの溝が前記ラックのホールで、より直径の大きい部分に位置して前記スクリューシャフトの回転できるようになり、締結の時、前記スクリューシャフトの溝が前記ラックのホールで、より直径の小さい部分に位置して前記スクリューシャフトの回転ができなくなることを特徴とする。
【００２７】
前記結合部は、前記モーターとラックとの間に位置して、前記モーターの回転と連動されて前記ラックを駆動させるギヤ(gear)をさらに含むことを特徴とする。
【００２８】
前記第一結合部及び第二結合部の中で少なくとも一つの結合部は、前記ビデオカード又はモニターと結合及び分離を制御するソレノイド(solenoid)を含めて、前記ビデオカード又はモニターと結合されて物理的にロッキングされることを特徴とする。
【００２９】
前記の目的を達成するための他の装置は、コンピューター本体のビデオカードとモニターとの間に位置して、前記ビデオカードから入力される映像信号を前記モニターに出力して監視するコンピューター画面監視装置において、外観を形成するコネクタベース(connector  base)と、前記コネクタベースの両側内部にそれぞれ位置して、一つの末端部が前記ビデオカード又はモニターと締結されて、もう一つの末端部に回転のための溝が形成されている一対のスクリューシャフト(screw  shaft)と、前記ビデオカード又はモニターと連結される方向に前記コネクタベースの末端部に位置して、前記ビデオカード又はモニターと連結される部分に接続端子が形成されているコネクタポート(connector  port)と、前記ビデオカード又はモニターと連結される方向の反対方向に前記コネクタベースの末端部に位置して、前記ビデオカード又はモニターと入出力される映像信号及び外部から入力される制御信号を伝送するコネクタケーブル(connector  cable)と、前記コネクタベースの内部に位置して、前記外部から入力される制御信号によって回転するモーター(motor)と、前記モーターから前記コネクタケーブル方向に位置して、両側に一対のホールが形成されていて、前記モーターの回転と連動されて、前記一対のスクリューシャフトの溝を前記両側に形成された一対のホールと整列させて露出させたり、前記一対のスクリューシャフトの溝の露出を遮断するラック(rack)と、前記コネクタベースと結合されて外観を形成するコネクタカバー(connector  cover)を含む結合部とを含むことを特徴とする。
【００３０】
前記結合部は、前記モーターの一側に位置して、前記モーター及びラックの間に位置し、前記モーターの回転と連動されて前記ラックを駆動させるギヤ(gear)をさらに含むことを特徴とする。
【００３１】
前記コンピューター画面監視装置は、内部に位置した接続部と前記結合部を連結させる拡張型連結ケーブルをさらに含むことを特徴とする。
【００３２】
前記の目的を達成するための、また他の装置は、コンピューター本体のビデオカードとモニターとの間に位置して、前記ビデオカードから入力される映像信号を前記モニターに出力して監視するコンピューター画面監視装置において、外観を形成するコネクタベース(connector  base)と、前記コネクタベースの両側内部にそれぞれ位置して、一つの末端部が前記ビデオカード又はモニターと締結されて、もう一つの末端部に回転手段が形成されている一対のスクリューシャフト(screw  shaft)と、前記ビデオカード又はモニターと連結される方向に前記コネクタベースの末端部に位置して、前記ビデオカード又はモニターと連結される部分に接続端子が形成されているコネクタポート(connector  port)と、前記ビデオカード又はモニターと連結される方向の反対方向に前記コネクタベースの末端部に位置して、前記ビデオカード又はモニターと入出力される映像信号及び前記制御部から入力される制御信号を伝送するコネクタケーブル(connector  cable)と、前記コネクタベースの内部に位置して、前記制御部から入力される制御信号によって回転するモーター(motor)と、前記モーターから前記コネクタケーブル方向に位置して、両側に前記スクリューシャフトがそれぞれ挿入される一対のホールが形成されていて、前記モーターの回転と連動されて、前記ホールに挿入された前記スクリューシャフトを回転できるようにするか、回転できないようにするラック(rack)と、前記コネクタベースと結合されて外観を形成するコネクタカバー(connector  cover)を含む結合部とを含むことを特徴とする。
【００３３】
前記スクリューシャフトは、前記回転手段の内側の回転軸に溝が形成されていて、前記ラックのホールは、それぞれ異なる直径を有する二つの部分が一体に形成されていて、解体の時、前記スクリューシャフトの溝が前記ラックのホールで、より直径の大きい部分に位置して前記スクリューシャフトの回転ができるようになり、締結の時、前記スクリューシャフトの溝が前記ラックのホールで、より直径の小さい部分に位置して前記スクリューシャフトの回転ができないようになることを特徴とする。
【００３４】
前記結合部は、前記モーターとラックとの間に位置し、前記モーターの回転と連動されて前記ラックを駆動させるギヤ(gear)をさらに含むことを特徴とする。
【００３５】
前記コンピューター画面監視装置は、内部に位置した接続部と前記結合部を連結させる拡張型連結ケーブルをさらに含むことを特徴とする。
【００３６】
前記の目的を達成するための方法は、(A)ビデオカード及びモニターにそれぞれ結合される第一結合部及び第二結合部の中の一つの結合部で、制御部から入力される制御信号によって回転されるモーターと連動されるラック(rack)が一対のスクリューシャフト(screw  shaft)の回転を妨害することで、前記ビデオカード又はモニターと前記結合部との間に物理的にロッキング(locking)を形成する段階と、(B)前記第一結合部を通じて前記ビデオカードから入力されるアナログ映像信号をデジタル映像信号に変換する段階と、(C)前記変換されたデジタル映像信号を設定された時間間隔によって圧縮して保存する段階と、(D)前記保存された映像信号を再生する場合、前記保存された映像信号を圧縮解除してアナログ映像信号に変換する段階と、(E)前記第二結合部を通じて前記変換されたアナログ映像信号を前記モニターに伝送する段階とを含むことを特徴とする。
【００３７】
前記(A)段階は、(A-1)前記ビデオカード及び前記モニターを含む外部装置に結合される第一結合部及び第二結合部の中のもう一つの結合部で、外部装置と結合又は分離を制御するソレノイド(solenoid)を用いることで、前記外部装置と前記のもう一つの結合部の間に物理的にロッキングを形成する段階をさらに含むことを特徴とする。
【００３８】
前記(B)段階は、(B-1)前記第一結合部を通じて前記ビデオカードから入力されるアナログ映像信号を前記モニターにも伝送させる段階をさらに含むことを特徴とする。
【００３９】
前記(D)段階は、(D-1)前記第一結合部を通じて前記ビデオカードから入力されるアナログ映像信号が前記モニターに伝送されることを遮断する段階をさらに含むことを特徴とする。
【００４０】
最後に、前記コンピューター画面監視方法は、サーバーコンピューターで読める記録媒体に保存することができる。こういう記録媒体は、コンピューターシステムによって読まれるようにプログラム及びデータが保存される全種類の記録媒体を含む。その例としては、ロム(Read  Only  Memory)、ラム(Random  Access  Memory)、CD(Compact  Disk)、DVD(Digital  Video  Disk)-ROM、磁気テープ、フロッピー（登録商標）ディスク、光データ保存装置などがあって、なお、キャリアウェーブ(例えば、インターネットを通じる伝送)の形態に具現されることも含まれる。また、こういう記録媒体は、ネットワークに連結されたコンピューターシステムに分散されて、分散方式でコンピューターの読むことができるコードが保存されて実行できる。
【００４１】
本発明は、コンピューターとモニターとの間に設置して、前記コンピューターからモニターを通じて出力される画面を監視できるコンピューター画面監視装置を提案する。これによって、前記コンピューターは、前記画面監視装置と締結されて、前記モニターも前記画面監視装置と締結される。なお、前記画面監視装置と締結される締結部は、電気的な制御信号によって物理的な結合又は解除になるようにすることで強制的に前記画面監視装置を除去できないようになる。
【００４２】
一方、本発明による前記画面監視装置を具現する一つの例として前記画面監視装置での直接制御を通じて画面を監視することによって前記画面監視装置内に画面監視のための全ての構成を含ませるハードウェア的具現の方法を提案する。なお、本発明による前記画面監視装置を具現する他の例として前記画面監視装置がコンピューター本体と連結される時、前記画面監視装置内に既保存された各種運用プログラム等が前記コンピューター本体に自動設置されるようにすることによって、前記コンピューター本体で前記画面監視装置に対する制御ができるようにするソフトウェア的具現の方法を提案する。
【００４３】
同時に、前記画面監視装置が前記コンピューター本体及びモニターと連結される各締結部を上述したように強制除去できないようにするために、ソレノイドを用いる方法とステッピングモーターを用いる方法を提案する。
【発明の効果】
【００４４】
以上のように、本発明によるコンピューター画面監視装置及び監視方法は、コンピューターユーザーが使用した映像をキャプチャーして保存した後、これを再生して確認することで、家庭や学校、塾などで青少年達が有害情報に接近することを遮断することができるし、職場で職員が業務と関連のない不必要な内容に接近することを遮断することができる効果がある。
【００４５】
なお、本発明によるコンピューター画面監視装置及び監視方法は、コンピューター本体又はモニターと強力に結合されて、正当な管理者ではないコンピューターユーザーが任意に分離することはできないので、コンピューター使用の監視に対する効率及び信頼性を向上させる効果もある。
【００４６】
その上、本発明によるコンピューター画面監視装置は、拡張型連結ケーブルを用いることで、ノイズフィルター(noise  filter)のサイズに関係なくコンピューター画面監視装置の本体を薄型化することができる効果もある。
【発明を実施するための最良の形態】
【００４７】
以下、本発明の好ましい実施例による詳細な説明を図面を用いて説明する。しかし、本発明の範囲が下に述べられた実施例のみに限定されると解釈してはいけない。本発明の実施例は、当業界で平均知識を有する者に対し、本発明をさらに完全に説明するために提供する。
【００４８】
まず、図1乃至図3を参照して本発明によって具現されるコンピューター画面監視システムと、これを通して画面監視方法に対する概念を説明する。
【００４９】
図1は、本発明によるコンピューター画面監視システムの構成図である。
【００５０】
図1に図示されたように、本発明によるコンピューター画面監視装置(110)は第一結合部(111)、A/D(Analog/Digital)変換部(112)、入力部(113)、制御部(114)、信号処理及び保存部(115)、D/A(Digital/Analog)変換部(116)、スイッチング部(117)及び第二結合部(118)を含めて構成される。なお、本発明によるコンピューター画面監視装置(110)はコンピューター本体(100)とモニター(120)との間の外部に位置し、前記コンピューター本体(100)からモニター(120)に伝送される映像信号をキャプチャー(capture)してこれを保存、再生及び制御する機能を遂行する。
【００５１】
前記第一結合部(111)は本発明によるコンピューター画面監視装置(110)とコンピューター本体(100)のビデオカード(101)を電気的制御信号なしに分離できないように、物理的に強力に結合させて、前記ビデオカード(101)から出力されるアナログ映像信号を伝送する機能をする。
【００５２】
前記A/D変換部(112)は、コンピューター本体(100)の周辺装置であるビデオカード(101)から出力されるアナログ映像信号をデジタル映像信号に変換する。この時、前記A/D変換部(112)に入力されるアナログ映像信号は、時間に対する連続的な値を有してRGB(Red、Green、Blue)それぞれに対する平行のキャリア(carrier)に載せられて伝送される。ここでアナログ映像信号の関数値は、時間ドメインに対してアナログ値を有するので、映像処理を効率的にするために前記A/D変換部(112)で離散的な値を有するデジタル映像信号に変換させることである。一方、前記A/D変換部(112)は、ICチップ(Integrated  Circuit  Chip)を用いてアナログ映像信号をデジタル映像信号に変換させることが好ましい。
【００５３】
前記入力部(113)は、本発明によるコンピューター画面監視装置(110)に対するパスワードが入力されたり、又は設定されたICカード、入力ボタンのアクセスデータ(access  data)などを入力される機能を遂行する。また、前記入力部(113)は、外部(例えば、正当な管理者)から制御部(114)の制御信号が入力される機能も遂行する。即ち、制御部(114)が信号処理及び保存部(115)で映像信号を圧縮及び保存する時間間隔を制御し、この後、信号処理及び保存部(115)が保存された映像信号を呼び込んで再生することを制御するが、このような制御信号の設定が前記入力部(113)を通じて入力される。
【００５４】
前記制御部(114)は、信号処理及び保存部(115)がコンピューター本体(100)のビデオカード(101)から出力される映像信号を圧縮する時間及びその量を制御し、この後、圧縮されて保存された圧縮映像信号の復元及び再生を制御する機能をする。即ち、信号処理及び保存部(115)は、コンピューター本体(100)のビデオカード(101)から出力される映像信号を全部圧縮して保存できるし、設定された保存間隔の時間ごとに映像信号を圧縮して保存することもできるが、このように圧縮されて保存される時間及びその量などを制御部(114)で設定して制御するようになる。言いかえると、前記制御部(114)は、保存場所であるメモリーに保存される圧縮映像信号の量を調節するようになる。例えば、制御部(114)は、10分ごとにビデオカード(101)から出力される全ての映像信号を圧縮して保存するように設定することもできるし、前記ビデオカード(101)から出力される全ての映像信号を圧縮して保存するように設定することもできる。しかし、後者の場合、メモリーの保存容量が厖大になるので、保存装置の容量を考えて適切な時間間隔を設定することが好ましい。
【００５５】
なお、前記制御部(114)は、第一結合部(111)及び第二結合部(118)も制御し、より具体的には本発明によるコンピューター画面監視装置(110)とコンピューター本体(100)との間、又はコンピューター画面監視装置(110)とモニター(120)との間の結合及び解体を制御する。即ち、前記制御部(114)の解体に関する制御信号が第一結合部(111)又は第二結合部(118)に入力されないと、任意にコンピューター画面監視装置(110)をコンピューター本体(100)又はモニター(120)から解体できなくなる。
【００５６】
前記信号処理及び保存部(115)は、前記A/D変換部(112)で変換されたデジタル映像信号を入力されて圧縮し、前記圧縮された映像信号を保存する機能を遂行して、圧縮された映像信号を内蔵メモリーに保存する機能を遂行する。この映像信号圧縮は、多様な方式で実行することができる。例えば、ADCT(Adaptive  Discrete  Cosine  Transform)を基礎とするアルゴリズムであるJPEG(Joint  Photographic  Experts  Group)符号化方式で圧縮することができる。この場合、前記信号処理及び保存部(115)に入力されたデジタル映像信号の中で人間の視覚で区分することができる限界を過ぎた領域のデジタル映像情報が損失圧縮を通じて、破格的にデータを縮める符号化(coding)を遂行して、元の映像とほぼ同一な画質を有しながらも、データ量がおおよそ1/120倍程度で圧縮されたJPEG映像を保存する。
【００５７】
この後に、正当な管理者が前記信号処理及び保存部(115)で圧縮されて保存された映像を復元しようとする場合、前記信号処理及び保存部(115)は、制御部(114)の制御信号によって保存された圧縮映像信号を呼び込んで圧縮解除及び復元し、前記復元された圧縮映像信号をデジタル映像信号に変換させた後、D/A変換部(116)に出力させるようになる。即ち、正当な管理者が前記信号処理及び保存部(115)のメモリーに保存された映像をモニター(120)で確認しようとする場合、前記制御部(114)は、前記信号処理及び保存部(115)に制御信号を出力させることによって、信号処理及び保存部(115)のメモリー内に圧縮されて保存された圧縮映像信号をデジタル映像信号に変換するように制御する機能を遂行するようになる。
【００５８】
前記D/A変換部(116)は、前記信号処理及び保存部(115)から出力されるデジタル映像信号を入力されてモニター(120)で再生することができるアナログ映像信号に変換してスイッチング部(117)に出力するように機能をする。即ち、前記信号処理及び保存部(115)のメモリーに保存されている圧縮映像信号をモニター(120)に伝送してディスプレーするために、デジタル映像信号を最終的にアナログ映像信号に変換しなければいけない。このような機能を具現するために、前記D/A変換部(116)がデジタル映像信号をアナログ映像信号に変換させるようになる。
【００５９】
前記スイッチング部(117)は、コンピューターに電源の入っている全ての時間帯に二つのモードで動作することができる。
【００６０】
まず、第一モードは、前記スイッチング部(117)の端子が1-2に接続される場合である。この場合、コンピューター本体(100)のビデオカード(101)から出力されるアナログ映像信号が分離されて、前記A/D変換部(112)とスイッチング部(117)に同時に入力される。前記A/D変換部(112)に入力されるアナログ映像信号は、上述したように信号処理及び保存部(115)によって圧縮されて保存され、前記スイッチング部(117)に入力されるアナログ映像信号は、前記スイッチング部(117)の端子1-2を通じてモニター(120)に入力されてディスプレーされる。こういう第一モードは、一般的にコンピューターユーザーがコンピューターを使用する場合であって、この場合、映像情報は、モニター(120)にディスプレーされると同時に信号処理及び保存部(115)に圧縮されて保存される。
【００６１】
次に、第二モードは、前記スイッチング部(117)の端子が1-3に接続される場合である。これがこの後、正当な管理者が信号処理及び保存部(115)に保存された映像を復元して確認する場合であって、コンピューター本体(100)のビデオカード(101)から出力されるアナログ映像信号が前記スイッチング部(117)を通じて直ちにモニター(120)に伝送されることが遮断され、前記D/A変換部(116)から出力されるアナログ映像信号がモニター(120)にディスプレーされるようにすることで、正当な管理者が信号処理及び保存部(115)に保存された圧縮映像信号をモニター(120)にディスプレーして映像を確認及び監視することができるようになる。
【００６２】
一方、第二結合部(118)は、前記第一結合部(111)と類似に、本発明によるコンピューター画面監視装置(110)とモニター(120)を電気的制御信号なしに分離することができないように、物理的に強力に結合させて、前記スイッチング部(117)から出力されるアナログ映像信号をモニターに伝送する機能を遂行する。
【００６３】
図2は、本発明によるコンピューターから出力される画面の映像情報をキャプチャーする手順を示した流れ図である。図2は、本発明によるコンピューターから出力される画面の映像情報をキャプチャーする過程を示す流れ図であって、本発明によるコンピューター画面監視装置(110)のスイッチング部(117)の端子が1-2に接続された場合である。
【００６４】
前記図2を参照すると、まず本発明によるコンピューター画面監視装置(110)は、初期化される(S201)。
【００６５】
次に、コンピューター画面監視装置(110)の制御部(114)は、コンピューター本体(100)のビデオカード(101)から第一結合部(111)を通じて入力される映像信号をキャプチャーする時間を設定する(S202)。この時、前記時間設定は、画面をキャプチャーする時間間隔を設定することであって、時間間隔を0と設定すると、使用中の全ての画面をキャプチャーするようになる。しかし、この場合コンピューターの全ての画面をキャプチャーするようになり、必要メモリーの量が厖大になるため、一部画面のみをキャプチャーするように適切な時間間隔を設定することが好ましい。
【００６６】
次に、コンピューター画面監視装置(110)の制御部(114)は、コンピューターが作動できるかを確認する(S203)。ここでコンピューターが作動する場合、コンピューター画面監視装置(110)のA/D変換部(112)は、コンピューター本体(100)のビデオカード(101)から入力されるアナログ映像信号を入力され、デジタル映像信号に変換して出力する(S204)。
【００６７】
次に、コンピューター画面監視装置(110)の制御部(114)は、前記段階S202で設定されたキャプチャー時間になったのかを確認する(S205)。この時、設定されたキャプチャー時間にならなかった場合、コンピューター画面監視装置(110)は、継続に段階S204を実行する。
【００６８】
一方、設定されたキャプチャー時間が経過した場合、コンピューター画面監視装置(110)の信号処理及び保存部(115)は、変換されたデジタル映像信号を圧縮して保存する(S206)。この時、前記圧縮方式は、多様な方式でも可能であって、例えば前記信号処理及び保存部(115)は、ADCTを基礎とするJPEG符号化方式で圧縮して保存させることができる。
【００６９】
次に、コンピューター画面監視装置(110)の制御部(114)は、コンピューターが続けて使用中であるかを判断する(S207)。この時、コンピューターが続けて使用中である場合、コンピューター画面監視装置(110)は、続けて上述した段階S204乃至段階S206を繰返して遂行する。一方、コンピューターが続けて使用中でない場合、コンピューター画面監視装置(110)は画面を遮断して(S208)、画面キャプチャー過程を終了する。
【００７０】
上述したコンピューターのアナログ映像信号をキャプチャーする一連の過程が進行している間、本発明によるコンピューター画面監視装置(110)のスイッチング部(117)の端子が1-2に接続されるようにすることによって、アナログ映像信号がモニター(120)にも伝送されてディスプレーされるようにする。即ち、ユーザーがコンピューターを使用している間、本発明によるコンピューター画面監視装置(110)は、設定された時間間隔でモニター(120)に出力される画面をキャプチャーして保存する。
【００７１】
図3は、本発明による画面監視装置に保存された映像情報を再生する手順を示した流れ図である。
【００７２】
前記図3を参照すると、本発明によるコンピューター画面監視装置(110)は、ICカード又は入力ボタンなどを通じて入力される信号をアクセス(access)して正当な管理者であることを確認する(S301)。この時、アクセスは、ICカード又は入力ボタンのほかに指紋認識、虹彩認識等の多様な方法を通じて実現できる。
【００７３】
次に、コンピューター画面監視装置(110)のスイッチング部(117)は、端子を1-3に接続させる(S302)。この時、コンピューター本体(100)のビデオカード(101)からモニター(120)に直ちに伝送される映像信号は遮断されて、信号処理及び保存部(115)に保存された画面が復元されてモニター(120)で再生できる。
【００７４】
次に、コンピューター画面監視装置(110)の制御部(114)は、信号処理及び保存部(115)に保存された画面に対する再生制御信号を発生させて(S303)、コンピューター画面監視装置(110)の信号処理及び保存部(115)は、保存された画面をデジタル映像信号に変換する(S304)。
【００７５】
次に、コンピューター画面監視装置(110)のD/A変換部(116)は、変換されたデジタル映像信号をモニター(120)で再生できるようにアナログ映像信号に改めて変換させて(S305)、スイッチング部(117)及び第二結合部(118)は変換されたアナログ映像信号をモニター(120)に伝送する(S306)。
【００７６】
次に、モニター(120)は、アナログ映像信号を受信して再生する(S307)。このモニター(120)での再生は、映像で具現されることができるし、停止画面で具現されることもできる。
【００７７】
以下、図4乃至図10を参照して、本発明の実施例による画面監視システム、監視装置及び監視方法を詳細に説明する。まず、図4乃至図7を参照して、本発明の実施例による画面監視システム及び監視装置を説明し、図8乃至図10を参照して画面監視手順を説明する。
【００７８】
図4は、本発明の実施例によるコンピューター画面監視システムの構成図である。前記図4を参照すると、本発明の実施例によるコンピューター画面監視システムは、遠隔コンピューター(400)、有線ネットワーク(410)、ローカルコンピューター(420)、無線ネットワーク(430)、携帯端末機(440)、画面監視装置(450)及びモニター(460)などから構成される。
【００７９】
上述のように、ローカルコンピューター(420)とモニター(460)との間には、本発明の実施例による画面監視装置(450)が設置される。この時、前記ローカルコンピューター(420)と画面監視装置(450)は、電気的な制御信号なしには分離できない第一締結部(451)によって物理的に締結され、前記画面監視装置(450)とモニターは、同様に電気的な制御信号なしには分離できない第二締結部(452)によって物理的に締結される。前記装置等の間には、コンピューター画面出力のための信号伝送のためにD-Sub専用ケーブルで連結されることが好ましく、前記D-Subケーブルのほかにも各種映像伝送方式によって多様なケーブルが用いられることは明らかである。
【００８０】
一方、前記ローカルコンピューター(420)と画面監視装置(450)との間には別途の汎用直列バス(Universal  Serial  Bus;以下、'USB'と称する)ケーブルによって追加に連結することができる。従って、前記USBケーブルによる通信で前記画面監視装置(450)の各締結部を駆動させたり、モニターのオン/オフ、イメージデータ伝送及びボタン入力認識などの制御動作を遂行することができる。
【００８１】
なお、前記遠隔コンピューター(400)で有線ネットワーク(410)を通じて前記画面監視装置(450)を制御するように具現できるし、前記携帯端末機(440)で無線ネットワーク(430)を通じて前記画面監視装置(450)を制御するように具現することもできる。
【００８２】
即ち、遠隔地(例えば、会社あるいはインターネットカフェー)からコンピューター又は携帯電話を通じて、家にあるローカルコンピューター(420)に連結されたモニター(460)に伝送される画面を監視したり、制御することができるようになる。
【００８３】
以下、図5及び図6を参照して、前記図4で上述したコンピューター画面監視システムの細部構成を詳細に説明する。図5では、本発明による前記画面監視装置を具現する一つの例として、前記画面監視装置での直接制御を通じて画面を監視するようにすることによって、前記画面監視装置内に画面監視のための全ての構成を含ませるハードウェア的な具現の方法を説明する。また、図6では、本発明による前記画面監視装置を具現する他の例として前記画面監視装置がコンピューター本体と連結される時前記画面監視装置内に既保存された各種運用プログラムなどが前記コンピューター本体に自動設置されるようにして、前記コンピューター本体で前記画面監視装置に対する制御ができるようにするソフトウェア的具現の方法を説明する。
【００８４】
図5は、本発明の実施例によるコンピューター画面監視システムの細部構成を示した図面である。前記図5を参照すると、本発明の実施例によるコンピューター画面監視システムは、遠隔コンピューター(400)と、WAPサーバー(500)と、ローカルコンピューター(420)と、画面監視装置(450)と、モニター(460)とで構成することができる。この時、前記ローカルコンピューター(420)は遠隔接続サーバー(501)と、移動接続エージェント(502)と、ユーザーインターフェース部(503)と、監視装置制御部(504)と、CPU(505)と、USBドライバー(506)と、ビデオカード(507)とで構成することができるし、前記画面監視装置(450)はボタン接触部(511)と、USBインターフェース部(512)と、第一結合部(513)と、入力部(514)と、制御部(515)と、A/D変換部(516)と、保存部(517)と、信号処理部(518)と、D/A変換部(519)と、第二結合部(520)とで構成することができる。
【００８５】
前記ローカルコンピューター(420)の監視装置制御部(504)は本発明によって画面監視装置(450)の制御部(515)とUSB通信を通じて制御信号を交換する役目を遂行する。即ち、前記監視装置制御部(504)はUSBドライバー(506)を通じて前記画面監視装置(450)とUSB結合されて、前記画面監視装置(450)ではUSBインターフェース部(512)を通じて前記ローカルコンピューター(420)とUSB結合される。
【００８６】
なお、前記ローカルコンピューター(420)のビデオカード(507)を通じて映像信号を出力させて、前記出力された映像信号は、前記画面監視装置(450)の第一結合部(513)に入力される。前記第一結合部(513)に入力された映像信号は、前記制御部(515)の制御信号によって前記第二結合部(520)を通じてモニター(460)に出力される。この時、前記第一結合部(513)を通じて入力される映像信号の処理手順は前記図1で上述した方法で処理される。
【００８７】
一方、本発明によって前記画面監視装置(450)では、前記第一結合部(513)を通じて入力される映像信号を圧縮保存した後、出力させることができる。即ち、前記第一結合部(513)に入力された映像信号は、前記制御部(515)の制御信号によってA/D変換部(516)でデジタル信号に変換された後、信号処理部(518)に入力される。前記信号処理部(518)では、前記デジタル信号に変換された映像信号を圧縮して保存部(517)に保存させるようになる。この時、前記保存部(517)に保存された映像信号を確認しようとする場合、前記保存部(517)に保存された映像信号は、また信号処理部(518)を通じて圧縮解除される。その後、前記圧縮解除された映像信号は、D/A変換部(519)でアナログ信号に変換された後、第二結合部(520)を通じてモニター(460)に出力される。
【００８８】
一方、前記画面監視装置(450)の管理者は、前記入力部(514)を通じて制御信号を入力することもできる。なお、前記ボタン接触部(511)は、別途具備される非接触式(又は接触式)手段を前記画面監視装置(450)のボタン接触部(511)に接触させることでユーザー認証を処理する機能を遂行する。
【００８９】
前記制御部(515)は、上述のように前記ローカルコンピューター(420)とUSB通信を遂行して前記ローカルコンピューター(420)から各種の制御信号を受信するようになる。なお、前記制御部(515)は、前記画面監視装置(450)の第一結合部(513)及び第二結合部(520)を制御することによって前記画面監視装置(450)が外部で物理的に前記ローカルコンピューター(420)及びモニター(460)と分離できないように制御する。
【００９０】
即ち、前記第一結合部(513)及び第二結合部(520)は、上述のように前記制御部(515)の制御信号によって結合及び解除ができるように物理的締結構造で具現される。例えば、前記第一結合部(513)及び第二結合部(520)をソレノイド又はステッピングモーターなどで構成して前記制御部(515)の電気的制御信号によって物理的結合及び解除ができるように具現される。これに対する詳細な説明は、図11以後の説明で後述する。
【００９１】
一方、前記画面監視装置(450)は、前記ボタン接触部(511)から管理者認証を遂行し、前記入力部(514)を通じて制御信号を入力されることで前記装置単独で画面監視機能を遂行することができる。即ち、前記USB通信を通じて制御信号を入力されなくても前記画面監視装置(450)の制御ができるようになる。
【００９２】
なお、上述したように前記USB通信を通じて前記ローカルコンピューター(420)からの制御もできるし、前記監視装置制御部(504)で遠隔接続サーバー(501)を通じて外部の遠隔コンピューター(400)と通信することでネットワークを通じて保存された映像を確認したり、PCの使用を制御できるようになる。また、前記監視装置制御部(504)では、移動接続エージェント(502)を通じてWAPサーバー(500)と通信することで移動端末(即ち、携帯電話)によって映像の確認又はPCの制御もできるようになる。
【００９３】
図6は、本発明の他の実施例によるコンピューター画面監視システムの細部構成を示した図面である。前記図6に図示された本発明の他の実施例では、前記画面監視装置(620)が単独で動作するのではなくて、ローカルコンピューター(600)と連結される時、前記ローカルコンピューター(600)に前記画面監視装置(620)に対する制御プログラムが自動に設置されることによって前記画面監視装置(620)を制御するようになる。
【００９４】
前記図6を参照すると、本発明の他の実施例によるコンピューター画面監視システムは、遠隔コンピューター(400)と、ローカルコンピューター(600)と、画面監視装置(620)と、モニター(460)と、DDNS(612)と、MNO(613)及び携帯端末機(440)とで構成できる。この時、前記ローカルコンピューター(600)は移動接続エージェント(601)と、移動接続機能部(602)と、エージェント通信処理部(603)と、ウェブフィルターリング部(604)と、タイムスケジューリング処理部(605)と、監視装置制御部(606)と、ネットワーク通信機能部(607)と、ユーザーインターフェース部(608)と、USBドライバー(609)と、CPU(610)及びビデオカード(611)とで構成できるし、前記画面監視装置(620)はボタン接続部(621)、USBハブ(622)、第一結合部(623)、第二制御部(624)、第一制御部(625)、保存部(626)、A/D変換部(627)、信号処理部(628)、D/A変換部(629)及び第二結合部(630)などで構成できる。
【００９５】
一方、前記ローカルコンピューター(600)のビデオカード(611)から出力される映像信号を前記画面監視装置(620)の第一結合部(623)から受信されて処理する手順は前記図5で上述した手順と同一である。
【００９６】
前記第一結合部(623)に入力された映像信号は、前記第一制御部(625)の制御信号によって前記第二結合部(630)を通じてモニター(460)に出力される。この時、前記第一結合部(623)を通じて入力される映像信号の処理手順は前記図1で上述した方法で処理される。
【００９７】
一方、本発明によって前記画面監視装置(620)では、前記第一結合部(623)を通じて入力される映像信号を圧縮保存した後、出力させることができる。即ち、前記第一結合部(623)に入力された映像信号は、前記第一制御部(625)の制御信号によってA/D変換部(627)でデジタル信号に変換された後、信号処理部(628)に入力される。前記信号処理部(628)では、前記デジタル信号に変換された映像信号を圧縮して保存部(626)に保存させる。この時、前記保存部(626)に保存された映像信号を確認しようとする場合、前記保存部(626)に保存された映像信号は、また信号処理部(628)を通じて圧縮解除される。その後、前記圧縮解除された映像信号は、D/A変換部(629)でアナログ信号に変換された後、第二結合部(630)を通じてモニター(460)に出力される。
【００９８】
上述したように前記図6に図示された本発明の他の実施例では、前記ローカルコンピューター(600)が前記画面監視装置(620)にUSBで連結されると同時に、前記画面監視装置(620)から前記ローカルコンピューター(600)に前記画面監視装置(620)の制御のための各種の制御ソフトウェアが自動に設置される。
【００９９】
即ち、前記第二制御部(624)に前記画面監視装置(620)を制御できる各種ソフトウェア(例えば、前記ローカルコンピューター(600)の監視装置制御部(606)に設置される画面監視装置(620)制御プログラム、画面監視装置(620)に対するUSBデバイスドライバー、遠隔制御プログラム等)が保存される。従って、前記ローカルコンピューター(600)が前記画面監視装置(620)とUSB通信で連結される瞬間、前記ローカルコンピューター(600)は、前記画面監視装置(620)を外部装置として認識し、前記第二制御部(624)に保存された各種ソフトウェアをローディングして自動に設置する。
【０１００】
この時、前記第二制御部(624)は、フラッシューメモリー(例えば、NANDフラッシューメモリー)で構成することができるし、前記第二制御部(624)をCD-ROMで仮象化することで前記ローカルコンピューター(600)のウィンドーが前記画面監視装置(620)の第二制御部(624)をCD-ROMで認識するようにする。これによって、前記ローカルコンピューター(600)のOS(即ち、ウィンドー)が自体的にサポートしている自動実行(Auto-run)機能を遂行するようにする。
【０１０１】
従って、前記第二制御部(624)は、前記USBハブ(622)を通じて前記ローカルコンピューター(600)とUSBケーブルで連結されて、前記USB通信を通じてウィンドーの応用プログラムと通信することで制御命令及び状態値などを取り交わす。一方、前記第二制御部(624)から前記ローカルコンピューター(600)に伝送されて実行されるプログラムは、携帯電話にイメージデータを伝送するプログラム、有害サイト遮断プログラム、画面キャプチャー及び圧縮、保存プログラム、ネットワークを通じた遠隔接続プログラムなどがある。
【０１０２】
図7は、本発明の実施例による画面監視装置の外観を示した斜視図である。前記図7を参照すると、本発明の実施例による画面監視装置(700)は、二つの映像信号伝送ケーブル(例えば、D-Sub)によってローカルコンピューター及びモニターとそれぞれ連結されて、USBケーブルによってローカルコンピューターと追加的に連結されることができる。
【０１０３】
なお、前記画面監視装置(700)は、直接制御信号を入力することのできる入力ボタン(701、702)が装置ケースの外部に具備することができるし、認証された管理者のみが使用できるように認証するための手段(即ち、I-ボタン)をさらに具備できるようになる。例えば、別途の認証手段をボタン接触部(710)に接触することで認証を遂行することができる。
【０１０４】
以下、図8乃至図10を参照して上述した画面監視装置を通じて画面監視を遂行する手順を詳細に説明する。特に、前記図6で上述した制御ソフトウェアの自動設置手順を含めて説明する。
【０１０５】
図8は本発明の実施例による画面監視装置でモニターを制御する手順を示した流れ図である。前記図8を参照すると、本発明による画面監視装置を初期化(S801)して、電源をオンさせると(S802)、PCから命令があるかを検査(S811)することになる。この時、もし、PCから命令を受信する場合にはモニターをオンさせて(S805)、受信されたPC命令を解釈して(S803)画面監視装置の細部動作を遂行(S804)するようになる。
【０１０６】
もし、画面監視装置の電源がオフ状態である場合(S802)、PCの電源がオン状態になると(S819)モニターをオンさせて1分間待機(S820)するようになる。その後、PCから命令があるかを検査(S821)して命令を受信する場合にはモニターをオン(S822)状態に維持するようになる。しかし、PCから命令を受信しない場合には不法使用であるとみなし、モニターに警告メッセージを出力(S823)させた後、モニターをオフさせるようになる(S824)。
【０１０７】
一方、前記S811段階でPCから命令を受信しないか、前記S822段階でモニターをオンさせた後には、既設定されたスケジュール時間を検査(S812)するようになる。前記検査結果、スケジュール時間が経過した場合にモニターに警告メッセージを出力(S806)させた後、モニターをオフさせるようになる(S807)。この時、正当な管理者によって画面監視装置の認証手段(例えば、I-ボタン)を通じて認証(S808)をすると、モニターを再びオンさせるようになる(S810)。そうではない場合は、再び前記既設定されたモニター遮断に対するスケジュール時間が終了される場合(S809)に再びモニターをオンさせるようになる(S810)。
【０１０８】
前記S812段階で既設定されたスケジュール時間が経過しなかった場合は、モニターをオンさせて1分間待機(S813)する。その後、モニターを通じて警告メッセージ(S814)を出力するようになる。一方、この時、正当な管理者による認証をすることでI-ボタンが検出(S815)される場合は、再びモニターをオンさせるようになる(S818)。その反面、正当な認証が遂行されていなかった場合には、モニターをオフさせた後(S816)、USBをリセットして自動インストール(S817)を遂行するようになる。
【０１０９】
こうすることで、本発明によって画面監視装置によるモニター監視及び制御ができるようになる。
【０１１０】
図9は、本発明の実施例による画面監視装置の各モードの動作手順を示した流れ図である。前記図9を参照すると、前記図8で画面監視装置の電源がオン状態になり、PCから各種制御命令を受けると、前記受信された該命令によって画面監視装置が動作するようになる。
【０１１１】
即ち、前記受信された命令によって下記の各動作に移動(S901)する。まず、前記受信された命令が細部設定読出及びセットアップ(S902)の命令である場合、受信された命令の内容によって時間テーブル(Time Table)、ディスプレーモード(Display  mode)、録画時間(Recording time)、圧縮率(JPEG Compression Rate)、イメージ保存サイズ(Image  Save  Size)、事前警告(Pre  Alarm)、USB接続(USB  connect)などを設定する。
【０１１２】
前記受信された命令が監視装置情報読出(S903)である場合、NANDフラッシューメモリー又はハードディスク(HDD)内に保存された情報を読出する。なお、前記受信された各命令によってRTC情報読出又はセットアップ(904)、JPEG情報読出(S905)、JPEGイメージデータ読出(S906)、初期情報読出(907)、ファームウェアアップグレード(S908)及びビデオ信号ロック又は解除(S909)などの手順を遂行する。
【０１１３】
図10は、本発明の実施例による画面監視装置に対するセットアップ手順を示した図面である。前記図10を参照すると、上述したように、ローカルコンピューターを本発明による画面監視装置に連結する時、前記画面監視装置に既保存された制御プログラムが自動に前記ローカルコンピューターに設置されることで前記ローカルコンピューターが前記画面監視装置を効果的に制御できるようになる。
【０１１４】
即ち、ローカルコンピューターのウィンドーをブートして画面監視装置に対する装置制御プログラムを実行(S1001)すると、新しい装置が検出(S1015)されるかを検査する。この時、前記検査結果、新しい装置が検出される場合、前記の該装置から設定データが読出(S1010)されるようになるが、検出されなかった場合は、ウィンドーディスプレーをオフ(S1016)させる。
【０１１５】
一方、前記ウィンドーブートの時、前記装置制御プログラムは実行されないが、本発明による画面監視装置が検出される場合は、前記画面監視装置に対する制御プログラムを自動に設置する過程を遂行する。しかし、前記装置制御プログラムが実行されなくて、前記画面監視装置が検出されない場合は、本発明による画面監視装置が設置されない一般的場合であるので、一般ウィンドー動作を実行(S1002)するようになる。
【０１１６】
前記検出の結果、画面監視装置が検出(S1003)される場合は、USBによる自動インストール(S1004)過程によって前記画面監視装置に既保存された制御プログラムを前記ローカルコンピューターにコピーして自動設置する。その後、前記設置された装置制御プログラムを実行(S1005)するようになる。
【０１１７】
この時、USBデバイスドライバーが存在しない場合(S1007)は、デバイスドライバーをインストール(S1006)する。なお、プログラムに対するアップデートが必要(S1009)である場合は、該プログラムをアップデート(S1008)する。従って、前記のように装置制御プログラムが設置されると、前記連結された画面監視装置から設定データを読出(S1010)する。その後、各装置制御命令によってディスプレーをキャプチャーしてJPEGインコーディング(S1011)するか、クライアントのPCから遠隔接続(S1012)するか、移動端末から遠隔接続(S1013)するか、GUIを活性化(S1014)させるようになる。
【０１１８】
以上で、本発明の実施例による画面監視システム及びそれによる画面監視手順を説明した。以下、図11乃至図27を参照して、上述の画面監視装置でそれぞれローカルコンピューター又はモニターと締結される第一結合部又は第二結合部に用いられる締結手段に対して説明する。前記締結手段としてソレノイドを用いた方法、ステッピングモーターを用いた方法、ステッピングモーターを用いた他の方法に対して説明する。一方、後述する結合部に適用される各実施例(前記の三つの実施例)は、前記第一結合部又は第二結合部に選択的に適用される。例えば、前記第一結合部にはソレノイドを用いた方法が適用されて、前記第二結合部にはステッピングモーターを用いた方法が適用される。なお、他の方法として前記の二つの結合部に全部ステッピングモーターを用いた方法が適用されることができる。即ち、後述する各実施例は前記第一結合部及び第二結合部のいずれにも選択的に適用することができる。
【０１１９】
まず、図11及び図12を参照して第一実施例によるソレノイドを用いた方法を説明し、図13乃至図19を参照して第二実施例によるステッピングモーターを用いた方法を説明し、図20乃至図25を参照して第三実施例によるステッピングモーターを用いた他の方法を説明する。
【０１２０】
図11及び図12は、本発明の第一実施例による結合部の平面図及び断面図であって、ソレノイドタイプ(solenoid-type)のコネクタを用いてロック装置(locking  device)を具備した結合部を図示したものである。
【０１２１】
前記図11に図示したように、本発明の実施例によるコンピューター画面監視装置(110)の結合部(111、118)はコンピューター本体(100)又はモニター(120)に連結されるコネクタのスクリューシャフト(screw  shaft;1101)に溝(slot;1102)を作って、スクリューシャフト(1101)の一側にソレノイド(solenoid;1103)を設置する。もし、コンピューターユーザーが任意にコンピューター本体(100)又はモニター(120)からコネクタを解体する場合、前記結合部(111、118)のソレノイドシャフト(solenoid  shaft;1104)がスクリューシャフト(1101)の溝(1102)にかかってスクリューシャフト(1101)の回転を妨害して解体されなくなる。
【０１２２】
図12を参照してより詳細に説明すると、本発明によるコンピューター画面監視装置(110)の結合部(111、118)は、コンピューター本体(100)からコネクタを分離するスクリューシャフト(1101)に溝(1102)を作り、その溝(1102)にソレノイドシャフト(1104)を挿入させることで、コンピューター本体(100)から結合部(111、118)のコネクタの解体を防止できる。もし、コンピューター本体(100)に結合部(111、118)のコネクタを締結する場合、ソレノイドシャフト(1104)がスプリング(1201)の力で左右に運動して締結される。一方、コンピューター本体(100)から結合部(111、118)のコネクタを解体する場合、スクリューシャフト(1101)にロッキング(locking)されているソレノイドシャフト(1104)が、スクリューシャフト(1101)に90度にできた溝(1102)にかかってスクリューシャフト(1101)の回転を妨害して、解体されないようになる。ここでソレノイド(1103)は制御部(114)によって動作されて、結合部(111、118)の解体に関する制御部(114)の制御信号なしに、本発明による画面監視装置(110)は、コンピューター本体(100)又はモニター(120)から任意に分離することはできないようになっている。
【０１２３】
もし、正当な管理者が修理などの目的でコンピューター本体(100)から結合部(111、118)を分離しようとする場合、管理者は、前記制御部(114)を通じてソレノイドシャフト(1104)に制御信号を伝送して、ソレノイドシャフト(1104)が右側(即ち、スプリング(1201)方向)に移動されることで、ソレノイドシャフト(1104)がスクリューシャフト(1101)の溝(1102)から抜けられる。この時、正当な管理者がスクリューシャフト(1101)を解体する時、回転方向に回転させて、コンピューター本体(100)又はモニター(120)から結合部(111、118)を分離させることができる。
【０１２４】
以下、図13乃至図19を参照し、本発明の第二実施例によってステッピングモーターによって結合部を構成する方法を説明する。
【０１２５】
図13及び図14は、それぞれ本発明の第二実施例による画面監視装置の結合部の分解斜視図及び構造図であって、図15は、本発明の第二実施例による結合部のギヤの斜視図である。
【０１２６】
図13及び図14に図示されたように、本発明によるコンピューター画面監視装置(110)の結合部(111、118)は、コネクタベース(connector  base;1301)と、前記コネクタベース(1301)の一側に挿入されるコネクタケーブル(connector  cable;1304)と、前記コネクタベース(1301)の他側に挿入されるコネクタポート(connector  port;1303)と、前記コネクタベース(1301)の中央に挿入されるギヤ(gear;1305a)が回転軸に結合して形成されたモーター(motor;1305)と、前記モーター(1305)に形成されたギヤ(1305a)とかみ合って回転する下側ギヤ(1306b)及び側面ギヤ(1306a)が形成されたギヤ(1306)と、前記の側面ギヤ(1306a)にかみ合って直線運動する両側ホール(1307a)が形成されて、後方上側の中央には水平ギヤ(1307b)が形成されたラック(rack;1307)と、前記ラック(1307)の両側に形成されたホール(1307a)に挿入される固定部(1302b)が形成されたスクリューシャフト(screw  shaft;1302)及び前記コネクタベース(1301)と結合するコネクタカバー(connector  cover;1308)を含めて構成される。
【０１２７】
前記コネクタベース(connector  base;1301)とコネクタカバー(connector  cover;1308)は、結合してモニター(120)に連結される結合部(111、118)の外観を形成して、内部に設置される構成要素を保護する機能をする。この時、前記コネクタベース(1301)の一側にコネクタケーブル(1304)が差し込まれて、この後方にスクリューシャフト(1302)と結合されたラック(1307)が溝(1301a)に挿入される。
【０１２８】
一対のスクリューシャフト(screw  shaft;1302)は、コネクタベース(1301)の両側内部に位置して、コンピューター本体(100)又はモニター(120)と連結される方向の末端部(1302a)外周面にモニター(120)と締結するためのネジ線(図示されていない)が形成されていて、反対側の末端部(1302b)にドライバー(driver)などを用いてスクリューシャフト(1302)を回転させるための溝が形成されているか、手を利用して回すことができるように取ってが形成されている。
【０１２９】
コネクタポート(connector  port;1303)は、コネクタベース(1301)のコンピューター本体(100)又はモニター(120)と連結される方向の末端部に位置して、コンピューター本体(100)又はモニター(120)と連結される部分(1303a)にアナログ映像信号などを伝送するために接続端子が形成されている。なお、コネクタポート(1303)の両側に一対のホール(hole;1303b)が形成されていて、このホールを通じて一対のスクリューシャフト(1302)がそれぞれ突出されてモニター(120)と締結される。
【０１３０】
コネクタケーブル(connector  cable;1304)は、コネクタベースのコンピューター本体(100)又はモニター(120)と連結される方向と反対方向の末端部に位置して、コンピューター本体(100)又はモニター(120)に入出力されるアナログ映像信号及びモーター(1305)に入力される制御信号などを伝送する機能をする。
【０１３１】
モーター(motor;1305)は、コネクタベース(1301)の内部に位置して、突出された回転軸ギヤ(1305a)に多数の歯車が形成されていて、制御部(114)から入力される制御信号によって時計方向又は反時計方向に回転する。実施例で、本発明による結合部(111、118)のモーター(1305)はオン/オフ(on/off)の制御が容易になるように制御部(114)の制御信号によって一定量のみが回転できるステッピングモーター(stepping  motor)を使用することが好ましい。
【０１３２】
なお、下部ギヤ(1306b)及び側面ギヤ(1306a)が形成されて、モーター(1305)の回転軸ギヤ(1305b)とかみ合って回転するギヤ(1306)が回転固定ピン(1306c)によって前記コネクタベース(1301)の中央に固定される。
【０１３３】
ここで、図15に図示されたような前記ギヤ(1306)は、180度回転できるようにコネクタベース(1301)の中央に固定させる。従って、前記側面ギヤ(1306a)と前記ラック(1307)に形成された水平ギヤ(1307b)とが、かみ合うようになる。
【０１３４】
ラック(rack;1307)は、両側ホール(1307a)が形成されて、後方上側の中央には水平ギヤ(1307b)が形成されて、前記両側ホール(1307a)にはそれぞれ前記スクリューシャフト(1302)が挿入されて、前記スクリューシャフト(1302)に形成された固定部(1302b)は前記ホール(1307a)に安着される。
【０１３５】
なお、前記コネクタベース(1301)の中央には固定溝(1301b)が形成されて回転軸にギヤが結合された状態のモーター(1305)を固定させる。そして、前記コネクタベース(1301)の他側には両側に溝(1303b)が形成されてコンピューターと連結できるようにモニターと連結される部分(1303a)が形成されたコネクタポート(1303)が差し込まれて固定される。
【０１３６】
モーター(1305)からコネクタケーブル(1304)方向の側面に位置して、モーター(1305)に向かう方向の面に多数の歯車(1307b)が形成されていて、一側にラック(1306)の突出部(1306b)が挿入できる挿入部(1307b)が形成されている。
【０１３７】
上述の本発明の第二実施例による画面監視装置(110)の結合部(111、118)の解体状態及び締結状態を以下図16乃至図19を参照してより詳細に説明する。
【０１３８】
図16及び図17は、それぞれ本発明の一実施例による第二結合部(118)の解体状態を示す構造図及び正面図である。
【０１３９】
図16に図示されたように、制御部(114)からモーター(1305)に解体するための制御信号が入力されると、モーター(1305)は、前記モーター(1305)の正面から見る時、時計方向に回転し、前記モーター(1305)の回転軸(1305a)とかみ合っているギヤ(1306)の下側ギヤ(1306b)は、上側から見る時、時計方向に回転する。従って、この時、前記の下側ギヤ(1306b)が時計方向に回転すると、前記ギヤ(1306)の側面ギヤ(1306a)とかみ合っているラック(1307)は、直線運動をして下の方向に移動する。
【０１４０】
これによって、前記ラック(1307)の両側に形成された一対のホール(1307a)とスクリューシャフト(1302)の末端部(1302b)の溝が整列されて、図17に図示されたように、スクリューシャフト(1302b)の溝がラック(1307)の一対のホール(1307a)を通じて露出される。
【０１４１】
従って、正当な管理者が修理などの目的でコンピューター本体(100)又はモニター(120)から第二結合部(118)を解体させようとする場合、前記ラック(1307)のホール(1307a)を通じて露出されたスクリューシャフト(1302)の溝にドライバーなどを挿入してスクリューシャフト(1302)を回転させるか、手でスクリューシャフト(1302)の取っ手を回すことで、コンピューター本体(100)又はモニター(120)から本発明によるコンピューター画面監視装置(110)を解体させることができるようになる。なお、ラック(1307)のホール(1307a)を通じて露出されたスクリューシャフト(1302)の溝を通じてドライバーなどを作動させることで、正当な管理者は、本発明による画面監視装置(110)とコンピューター本体(100)又はモニター(120)を結合させることもできる。
【０１４２】
図18及び図19は、それぞれ本発明の一実施例による第二結合部の締結状態を示す構造図及び正面図である。
【０１４３】
図18に図示されたように、制御部(114)からモーター(1305)に締結するための制御信号が入力されると、モーター(1305)は前記モーター(1305)の正面から見る時、反時計方向に回転して、前記モーター(1305)の回転軸(1305a)とかみ合っているギヤ(1306)の下側ギヤ(1306b)は上側から見る時、反時計方向に回転する。従って、この時、前記の下側ギヤ(1306b)が反時計方向に回転するようになると、前記ギヤ(1306)の側面ギヤ(1306a)とかみ合っているラック(1307)は直線運動をして、上側方向に移動する。
【０１４４】
これによって、前記ラック(1307)の両側に形成された一対のホール(1307a)とスクリューシャフト(1302)の末端部(1302b)の溝は整列されなくて、図19に図示されたように、ラック(1307)のボディーによってスクリューシャフト(1302)の溝が遮断される。
【０１４５】
従って、コンピューターユーザーが任意にコンピューター本体(100)又はモニター(120)から第二結合部(118)を解体しようとする場合、コンピューター本体(100)又はモニター(120)と締結されたスクリューシャフト(1302)の溝がラック(1307)のボディーによって遮断されて、解体することができない。
【０１４６】
上述したように、前記第一実施例及び第二実施例は、第一結合部(111)及び第二結合部(118)のいずれにも適用することができる。
【０１４７】
以下、図20乃至図25を参照して、本発明の第三実施例によるステッピングモーターを用いた他の方法によって結合部を構成する方法を説明する。
【０１４８】
図20及び図21は、それぞれ本発明の第三実施例によるコンピューター画面監視装置の結合部の分解斜視図及び構造図である。
【０１４９】
図20及び図21に図示したように、本発明による画面監視装置(110)の結合部(111、118)は、コネクタベース(connector  base;2001)と、一対のスクリューシャフト(screw  shaft;2002)と、コネクタポート(connector  port;2003)と、コネクタケーブル(connector  cable;2004)と、モーター(motor;2005)と、ラック(rack;2007)と、ギヤ(gear;2008)及びコネクタカバー(connector  cover;2009)とを含めて構成される。
【０１５０】
コネクタベース(connector  base;2001)とコネクタカバー(connector  cover;2009)は、結合してコンピューター本体(100)又はモニター(120)に連結される結合部(111、118)の外観を形成して、内部に設置される構成要素を保護する機能をする。
【０１５１】
一対のスクリューシャフト(screw  shaft;2002)は、コネクタベース(2001)の両側内部に位置して、コンピューター本体(100)又はモニター(120)と連結される方向の末端部(2002a)の外周面にコンピューター本体(100)又はモニター(120)と締結するためのネジ線(図示されていない)が形成されていて、反対側の末端部(2002b)にスクリューシャフト(2002)を正当な管理者などが回転させることができる回転手段が形成されている。なお、スクリューシャフト(2002)は、回転手段の内側回転軸にラック(2007)と結合してスクリューシャフト(2002)の回転を妨害することができる溝(2002c)が形成されている。
【０１５２】
コネクタポート(connector  port;2003)は、コネクタベース(2001)のコンピューター本体(100)又はモニター(120)と連結される方向の末端部に位置して、コンピューター本体(100)又はモニター(120)と連結される部分(2003a)にアナログ映像信号などを伝送するために接続端子が形成されている。なお、コネクタポート(2003)の両側に一対のホール(hole;2003b)が形成されていて、このホールを通じて一対のスクリューシャフト(2002)がそれぞれ突出されてモニター(120)と締結される。
【０１５３】
コネクタケーブル(connector  cable;2004)は、コネクタベース(2001)のコンピューター本体(100)又はモニター(120)と連結される方向と反対方向の末端部に位置して、コンピューター本体(100)又はモニター(120)に入力されるアナログ映像信号及びモーター(2005)に入力される制御信号などを伝送する機能をする。
【０１５４】
モーター(motor;2005)は、コネクタベース(2001)の内部に位置し、突出された回転軸(2005a)に多数の歯車が形成されていて、制御部(114)から入力される制御信号によって、時計方向又は反時計方向に回転する。第三実施例で、本発明による結合部(111、118)のモーター(2005)はオン/オフ(on/off)の制御が容易になるように、制御部(114)の制御信号によって一定量のみ回転することができるステッピングモーター(stepping  motor)を使用することが好ましい。
【０１５５】
ラック(rack;2007)は、モーター(2005)からコネクタケーブル(2004)方向の側面に位置して、モーター(2005)に向かう方向の面に多数の歯車(2007a)が形成されていて、両側にスクリューシャフト(2002)が挿入されて回転することができる一対のホール(hole;2007b)が形成されている。この一対のホール(2007b)は、異なる直径を有する二つの部分(2007b-1、2007b-2)が一体に形成されたものである。もし、スクリューシャフト(2002)が直径の大きい部分(2007b-1)に位置する場合、スクリューシャフト(2002)の回転を妨害する要素がないため、本発明による画面監視装置(110)の結合部(111、118)とコンピューター本体(100)又はモニター(120)との間の解体及び締結を容易にすることができる。しかし、スクリューシャフト(2002)が直径の小さい部分(2007b-2)に位置する場合、スクリューシャフト(2002)の溝(2002c)にラック(2007)がかかってスクリューシャフト(2002)の回転を妨害するために、本発明による画面監視装置(110)の結合部(111、118)とコンピューター本体(100)又はモニター(120)との結合を解体させることはできない。
【０１５６】
ギヤ(gear;2008)は、モーター(2005)とラック(2007)との間に位置して、外周面に形成された歯車の一側がモーター(2005)の回転軸(2005a)に形成された歯車とかみ合っていて、歯車の他の一側がラック(2007)の歯車(2007a)とかみ合っている。従って、制御部(114)の制御信号によってモーター(2005)が回転されると、モーター(2005)回転軸(2005a)の歯車とかみ合っているギヤ(2008)が回転されて、同時にギヤ(2008)の歯車とかみ合っているラック(2007)が移動する。
【０１５７】
上述した本発明の第三実施例による結合部(111、118)の解体状態及び締結状態を以下でより詳細に説明する。
【０１５８】
図22及び図23を参照すると、制御部(114)からモーター(2005)に解体するための制御信号が入力されると、モーター(2005)は、時計方向に回転して、モーター(2005)の回転軸(2005a)とかみ合っているギヤ(2008)は反時計方向に回転する。この時、ギヤ(2008)の歯車とかみ合っているラック(2007)は、下の方向(図23で、右側方向)に移動する。この場合、一対のスクリューシャフト(2002)がラック(2007)の両側に形成されたホール(2007b)の直径の小さい部分(2007b-2)から直径の大きい部分(2007b-1)に位置するようになる。
【０１５９】
従って、正当な管理者が修理などの目的でコンピューター本体(100)又はモニター(120)から結合部(111、118)を解体させようとする場合、スクリューシャフト(2002)の末端部(2002b)の回転手段を回転させることによって、コンピューター本体(100)又はモニター(120)から本発明による画面監視装置(110)を解体させることができる。なお、スクリューシャフト(2002)の末端部(2002b)の回転手段を解体と反対方向に回転させることで、正当な管理者は、本発明による画面監視装置(110)とコンピューター本体(100)又はモニター(120)を結合させることもできる。
【０１６０】
図24及び図25は、それぞれ本発明の第三実施例による結合部の締結状態を示す構造図及び正面図である。
【０１６１】
図24及び図25を参照すると、制御部(114)からモーター(2005)に締結するために制御信号が入力されると、モーター(2005)は、反時計方向に回転し、モーター(2005)の回転軸(2005a)とかみ合っているギヤ(2008)は時計方向に回転する。この時、ギヤ(2008)の歯車とかみ合っているラック(2007)は、上側方向(図25で、左側方向)に移動する。この場合、一対のスクリューシャフト(2002)がラック(2007)の両側に形成されたホール(2007b)の直径の大きい部分(2007b-1)から直径の小さい部分(2007b-2)に位置するようになる。
【０１６２】
従って、コンピューターユーザーが任意にコンピューター本体(100)又はモニター(120)から結合部(111、118)を解体しようとする場合、コンピューター本体(100)又はモニター(120)と締結されたスクリューシャフト(2002)に形成された溝(2002c)が、ラック(2007)に形成されたホール(2007b)の直径の小さい部分(2007b-2)にかかってスクリューシャフト(2002)が回転されないため、コンピューターユーザーが任意にコンピューター本体(100)又はモニター(120)から結合部(111、118)を解体することはできない。
【０１６３】
上述したように、本発明による画面監視装置(110)は、第一結合部(111)と第二結合部(118)がそれぞれコンピューター本体(100)とモニター(120)と強力な結合を維持するため、正当な管理者が制御部(114)を通じて解体する場合を除いて、任意に分離することができないようになっている。
【０１６４】
以下、図26及び図27を参照して、上述の画面監視装置の第一結合部及び第二結合部の連結状態を説明する。図26は、一般的なコンピューターケーブルの連結状態を示した構造図であって、図27は、本発明の実施例による画面監視装置の第一結合部及び第二結合部での連結状態を示す構造図である。
【０１６５】
前記図26を参照すると、一般的なコンピューターケーブルの場合、本発明による画面監視装置内部で締結されるように構成する時、ノイズフィルター(A)の位置が各製造社及び製品モデル番号などによって異なるため、画面監視装置(700)のケースがしっかり閉まらない問題が発生した。即ち、画面監視装置(700)と連結されるコネクタ(2610)の接続部(2600)が前記画面監視装置(700)内の基板(2620)に接続される時、コネクタケーブル(2611)でのノイズフィルター(A)の位置が異なることによって画面監視装置(700)のケースが閉まらないことが発生する場合がある。
【０１６６】
従って、本発明の実施例では、図27のように前記コネクタ(2610)と基板(2620)との間に拡張型連結ケーブル(2701)をさらに具備することで、コネクタの製造会社又はモデルに関係なく画面監視装置にコネクタを締結することができる。
【０１６７】
図27は、本発明の実施例による第一結合部及び第二結合部がそれぞれコンピューター画面監視装置の本体と連結された状態を示す平面図である。
【０１６８】
図27に図示されたように、本発明によるコンピューター画面監視装置(700)は第一結合部(111)又は第二結合部(118)に連結するための拡張型連結ケーブル(2701（2701a,2701b）)をさらに含むことができる。ここで拡張型連結ケーブル(2701)は、本発明による画面監視装置(700)の内部に位置した基板(2720)での接続部と、第一結合部(111)又は第二結合部(118)との間に位置してそれらを連結させる機能をする。
【０１６９】
前記図26で上述したように、通常的に画面監視装置(700)の接続部(2700)と連結される第一結合部コネクタ(2710a)又は第二結合部コネクタ(2710b)のノイズフィルター(noise  filter;A)が製造社、製品モデル番号によって異なるため、画面監視装置(700)のケースが閉まらなかったり、又は画面監視装置(700)のサイズが不必要に大きくなる問題が発生した。
【０１７０】
しかし、本発明による画面監視装置(700)の拡張型連結ケーブル(2701（2701a,2701b）)を用いることで、第一結合部コネクタ(2710a)及び第二結合部コネクタ(2710b)のケーブル線の直径サイズくらいの挿入孔を画面監視装置(700)にケースに形成すればいいので、本発明による画面監視装置(700)をより薄型化することができる。
【０１７１】
一方、本発明の実施例では、具体的実施例に関して説明したが、本発明の範囲から外れない限度内で色々な変形が可能である。それ故、本発明の範囲は、説明された実施例に局限されて定められてはいけないし、後述する特許請求の範囲のみならず、この特許請求の範囲と均等な物によって定められるべきである。
【図面の簡単な説明】
【０１７２】
【図１】本発明によるコンピューター画面監視システムの構成図である。
【図２】本発明によるコンピューターから出力される画面の映像情報をキャプチャーする手順を示した流れ図である。
【図３】本発明による画面監視装置に保存された映像情報を再生する手順を示した流れ図である。
【図４】本発明の実施例によるコンピューター画面監視システムの構成図である。
【図５】本発明の実施例によるコンピューター画面監視システムの細部構成を示した図面である。
【図６】本発明の他の実施例によるコンピューター画面監視システムの細部構成を示した図面である。
【図７】本発明の実施例による画面監視装置の外観を示した斜視図である。
【図８】本発明の実施例による画面監視装置でモニターを制御する手順を示した流    れ図である。
【図９】本発明の実施例による画面監視装置の各モードの動作の手順を示した流れ    図である。
【図１０】本発明の実施例による画面監視装置に対するセットアップ手順を示した    図面である。
【図１１】本発明の第一実施例による画面監視装置での結合部の平面図である。
【図１２】本発明の第一実施例による画面監視装置での結合部の断面図である。
【図１３】本発明の第二実施例による画面監視装置の結合部の分解斜視図である。
【図１４】本発明の第二実施例による画面監視装置の結合部の構造図である。
【図１５】本発明の第二実施例による画面監視装置の結合部でのギヤの斜視図であ    る。
【図１６】本発明の第二実施例による画面監視装置の結合部の解体状態を示した構    造図である。
【図１７】本発明の第二実施例による画面監視装置の結合部の解体状態を示した正    面図である。
【図１８】本発明の第二実施例による画面監視装置の結合部の締結状態を示した構    造図である。
【図１９】本発明の第二実施例による画面監視装置の結合部の締結状態を示した正    面図である。
【図２０】本発明の第三実施例による画面監視装置の結合部の分解斜視図である。
【図２１】本発明の第三実施例による画面監視装置の結合部の構造図である。
【図２２】本発明の第三実施例による画面監視装置の結合部の解体状態を示した構    造図である。
【図２３】本発明の第三実施例による画面監視装置の結合部の解体状態を示した正    面図である。
【図２４】本発明の第三実施例による画面監視装置の結合部の締結状態を示した構    造図である。
【図２５】本発明の第三実施例による画面監視装置の結合部の締結状態を示した正    面図である。
【図２６】一般的なコンピューターケーブルの連結状態を示した構造図である。
【図２７】本発明の実施例による画面監視装置の第一結合部及び第二結合部での連    結状態を示す構造図である。
【符号の説明】
【０１７３】
100…コンピューター本体、101，507，611…ビデオカード、110，450，700…画面監視装置、111，451，513，623…第一結合部、112，516，627…A/D変換部、113，514…入力部、114，515…制御部、115…信号処理及び保存部、116，519，629…D/A変換部、117…スイッチング部、118，452，520，630…第二結合部、120，460…モニター、400…遠隔コンピューター、410…有線ネットワーク、420…ローカルコンピューター、430…無線ネットワーク、440…携帯端末機、501…遠隔接続サーバー、502，601…移動接続エージェント、503，608…ユーザーインターフェース部、504，606…監視装置制御部、505，610…CPU、506，609…USBドライバー、511，621…ボタン接触部、512:USBインターフェース部、517，626…保存部、518，628…信号処理部、602…移動接続機能部、603…エージェント通信処理部、604…ウェブフィルターリング部、605…タイムスケジューリング処理部、606…監視装置制御部、607…ネットワーク通信機能部、622…USBハブ、624…第二制御部、625…第一制御部、701，702…入力ボタン、710…ボタン接触部、1101…スクリューシャフト、1102…スクリューシャフトの溝、1103…ソレノイド、1104…ソレノイドシャフト、1201…スプリング、1301，2001…コネクタベース、1302，2002…スクリューシャフト、1303，2003…コネクタポート、1304，2004…コネクタケーブル、1305，2005…モーター、1305a，1306，2008…ギヤ、1306a…側面ギヤ、1306b…下側ギヤ、1307，2007…ラック(rack)、1308，2009…コネクタカバー、2600，2700，2700a，2700b…コネクタ接続部、2610，2710，2710a，2710b…コネクタ、2611，2711…コネクタケーブル、2620，2720…画面監視装置基板、2701，2701a，2701b…拡張型連結ケーブル、2702，2702a，2702b…ケーブル接続部、A…ノイズフィルター
【図１】
2008009953.tif 000003
【図２】
2008009953.tif 000004
【図３】
2008009953.tif 000005
【図４】
2008009953.tif 000006
【図５】
2008009953.tif 000007
【図６】
2008009953.tif 000008
【図７】
2008009953.tif 000009
【図８】
2008009953.tif 000010
【図９】
2008009953.tif 000011
【図１０】
2008009953.tif 000012
【図１１】
2008009953.tif 000013
【図１２】
2008009953.tif 000014
【図１３】
2008009953.tif 000015
【図１４】
2008009953.tif 000016
【図１５】
2008009953.tif 000017
【図１６】
2008009953.tif 000018
【図１７】
2008009953.tif 000019
【図１８】
2008009953.tif 000020
【図１９】
2008009953.tif 000021
【図２０】
2008009953.tif 000022
【図２１】
2008009953.tif 000023
【図２２】
2008009953.tif 000024
【図２３】
2008009953.tif 000025
【図２４】
2008009953.tif 000026
【図２５】
2008009953.tif 000027
【図２６】
2008009953.tif 000028
【図２７】
2008009953.tif 000029